(57)【要約】【課題】コンテンツの再生に基づいて、時計の表示時刻を変更することである。【解決手段】コンテンツ出力装置２と時計１は無線通信で接続をする。時計１と接続後コンテンツ出力装置２はコンテンツ記憶部２５１から読み出したコンテンツを再生し時計１に再生したコンテンツに関するコンテンツ情報をコンテンツ情報記憶部２５２から読み出し送信する。時計１はコンテンツ出力装置２から送信されたコンテンツ情報を受信し、コンテンツの再生に連動して表示時刻を変更する。コンテンツ情報は、事前に時計１に送信してもよいし、コンテンツに連動して送信してよい。【選択図】図１
2018005358.tif 000002
【特許請求の範囲】
【請求項１】
コンテンツを再生する再生手段と、
コンテンツに基づいて通信装置に表示する表示時間情報を前記通信装置に送信する送信手段と、
を備えることを特徴とするコンテンツ出力装置。
【請求項２】
前記送信手段は、前記再生手段が再生する所定の再生時間に前記通信装置に表示させる表示時間情報を送信することを特徴とする請求項１に記載のコンテンツ出力装置。
【請求項３】
前記送信手段は、前記表示時間情報と共に前記通信装置が表示時間情報を表示する前記所定の再生時間を送信することを特徴とする請求項２に記載のコンテンツ出力装置。
【請求項４】
前記所定の再生時間になったかを判定する判定手段と、
を更に備え、
前記送信手段は、前記判定手段が前記所定の再生時間になったと判定した場合、前記表示時間情報を送信することを特徴とする請求項２に記載のコンテンツ出力装置。
【請求項５】
前記送信手段は、前記再生手段が再生しているコンテンツに基づいて更に都市情報を送信することを特徴する請求項１〜４のいずれか一項に記載のコンテンツ出力装置。
【請求項６】
前記通信装置は、デジタル時計又はアナログ時計であることを特徴とする請求項１〜５のいずれか一項に記載のコンテンツ出力装置。
【請求項７】
コンテンツ出力装置が再生しているコンテンツに基づいた表示時間情報を受信する受信手段と、
前記受信手段が受信した表示時間情報に基づいて表示時間を変更する変更手段と、
を備えることを特徴とする通信装置。
【請求項８】
前記受信手段は、前記コンテンツ出力装置が送信したコンテンツ終了したことを示すコンテンツ終了情報を受信し、
前記変更手段は、コンテンツ終了情報を受信した後、表示時間を現在時刻に変更することを特徴とする請求項６に記載の通信装置。
【請求項９】
コンピュータを
コンテンツを再生する再生手段、
コンテンツに基づいて通信装置に表示する表示時間情報を前記通信装置に送信する送信手段、
として機能させることと特徴とするプログラム。
【請求項１０】
コンテンツを再生する再生ステップと、
コンテンツに基づいて通信装置に表示する表示時間情報を前記通信装置に送信する送信ステップと、
を有することを特徴とするコンテンツ出力方法。
【請求項１１】
コンピュータを、
コンテンツ出力装置が再生しているコンテンツに基づいた表示時間情報を受信する受信手段、
前記受信手段が受信した表示時間情報に基づいて表示時間を変更する変更手段、
として機能させることを特徴とするプログラム。
【請求項１２】
コンテンツ出力装置が再生しているコンテンツに基づいた表示時間情報を受信する受信ステップと、
前記受信ステップで受信した表示時間情報に基づいて表示時間を変更する変更ステップと、
を有することを特徴とする時間表示方法。
【発明の詳細な説明】
【技術分野】
【０００１】
本発明は、コンテンツ出力装置、通信装置、コンテンツ出力方法、時間表示方法及びプログラムに関する。
【背景技術】
【０００２】
近年、鑑賞者に対して印象付けた告知を行うべく、人型に形成された平面のスクリーンに対して人物画像を投影し、種々の告知を行わせる表示装置が開発されている（例えば特許文献１参照）。
【先行技術文献】
【特許文献】
【０００３】
【特許文献１】特開２０１１−１５０２２１号公報
【発明の概要】
【発明が解決しようとする課題】
【０００４】
しかしながら、従来の表示装置では、コンテンツに基づいて他の装置の表示時刻を変更できなかった。
【０００５】
そこで本発明の課題は、コンテンツに基づいて他の装置の表示時刻を変更することである。
【課題を解決するための手段】
【０００６】
コンテンツを再生する再生手段と、
コンテンツに基づいて通信装置に表示する表示時刻情報を前記通信装置に送信する送信手段と、
を備えることを特徴とするコンテンツ出力装置。
【発明の効果】
【０００７】
本発明は上記のような実情に鑑みてなされたもので、その目的とするところは、コンテンツに基づいて他の装置の表示時刻を変更することである。
【図面の簡単な説明】
【０００８】
【図１】は、本第一実施形態に係るコンテンツ出力システムの構成を示す図である。
【図２】は、本第一実施形態に係る時計の構成を示すブロック図である。
【図３】は、本第一実施形態に係るコンテンツ情報を示す図である。
【図４】は、本第一実施形態に係るコンテンツ出力装置の構成を示すブロック図である。
【図５】は、本第一実施形態に係る時計のコンテンツ出力処理のフローチャートを示す図である。
【図６】は、本第一実施形態に係るコンテンツ出力装置のコンテンツ出力処理のフローチャートを示す図である。
【図７】は、本第二実施形態に係るコンテンツ情報を示す図である。
【図８】は、本第一実施形態に係る時計のコンテンツ出力処理のフローチャートを示す図である。
【図９】は、本第一実施形態に係るコンテンツ出力装置のコンテンツ出力処理のフローチャートを示す図である。
【発明を実施するための形態】
【０００９】
（第一実施形態）
以下、本発明を実施するための第一実施形態にかかるコンテンツ出力システムを、図面を参照して説明する。なお、図中同一又は相当する部分は同一符号を付す。
【００１０】
図１は、本第一実施形態に係るコンテンツ出力システムの構成を示す図である。図１の構成例において、コンテンツ出力システムはコンテンツ出力装置２とコンテンツ出力装置２と無線通信を行う時計１とから構成される。コンテンツ出力装置２と時計１は、例えば、Bluetooth（登録商標） low energy（以下、ＢＬＥという。）に基づいて、互いに無線通信を行う。ＢＬＥとは、Bluetooth（登録商標）と呼ばれる近距離無線通信規格において、低消費電力を目的として策定された規格（モード）である。なお、コンテンツ出力装置２と時計１との間で使用する無線通信はWiFi（登録商標）等、他の無線通信規格を使用しても良い。
【００１１】
コンテンツ出力装置２は、例えば、背面投射型のプロジェクタを用い図示しないスクリーンに向け照射する投影装置であって、店舗や展示会会場などに設置され、商品の説明、案内、アンケート等のコンテンツを再生するものであり、一方、時計１は、例えば、デジタル時計又はアナログ時計である。なお時計１は時計機能を有するスマートフォン、タブレット型パーソナルコンピュータなどでもよい。
【００１２】
時計１は、図２に示すように、制御部１１、表示部１２、入力部１３、通信部１４、計時部１５、記憶部１６を備え、記憶部１６は、コンテンツ情報記憶部１６１を含むものである。
【００１３】
制御部１１は、ＣＰＵ（Ｃｅｎｔｒａｌ  Ｐｒｏｃｅｓｓｉｎｇ  Ｕｎｉｔ）等によって構成され、記憶部１６に記億されている各種のプログラムを実行して所定の演算や各部の制御を行うＣＰＵとプログラム実行時の作業領域となるメモリとを備えている（いずれも図示略）。
【００１４】
表示部１２は、例えば、ＬＣＤ（Liquid Crystal Display）、ＥＬ（Electroluminescence）ディスプレイ等によって構成される。
【００１５】
入力部１３は、例えば、タッチパネルであり、表示部１２の上面に配置され、ユーザの操作内容を入力するために用いられるインタフェースである。タッチパネルは、例えば図示しない透明電極を内蔵し、ユーザの指等が接触した場合に、電圧が変化した位置を接触位置として検出し、その接触位置の情報を入力指示として制御部１１へ出力する。
【００１６】
通信部１４は、図示しないアンテナを介して、ＢＬＥに基づく無線信号の送信及び受信を行う。通信部１４は、ＢＬＥに基づくＢｅａｃｏｎ（アドバタイズ）をブロードキャストし、そのＢｅａｃｏｎに対してコンテンツ出力装置２から送られてきた接続要求を受信した後、接続を確立し、後述するコンテンツ情報を受信する。
【００１７】
計時部１５は、図示しない分周回路から入力された所定の計時信号の入力回数を計数して初期値に加算することで現在時刻を計数する。計時部１５としては、ソフトウェア的にＲＡＭに記憶させる値を変化させるものであっても良いし、或いは、専用のカウンタ回路を備えていても良い。計時部１５の計数する時刻は、所定のタイミングからの累積時間、ＵＴＣ時刻（協定世界時）、又は予め設定された都市の時刻（地方時）などのうち何れであっても良い。また、この計時部１５が計数する時刻は、必ずしも年月日時分秒の形式で保持される必要がない。
【００１８】
記憶部１６は、コンテンツ情報記憶部１６１を備える。コンテンツ情報記憶部１６１は上述したコンテンツ出力装置２が送信したコンテンツ情報を記憶する。コンテンツ情報は、図３に示すように、コンテンツＩＤ、再生開始時間、表示時刻変更再生時間、表示都市情報と表示時刻情報を含むものである。コンテンツＩＤは、コンテンツ出力装置２が再生しているコンテンツのＩＤを示すものである。再生開始時間は、コンテンツ出力装置２がコンテンツＩＤに示されているコンテンツの再生を開始した時間を示すものである。この再生開始時間を受信することによって、時計１はコンテンツがいつ再生されたかを検出することが可能となる。表示時刻変更再生時間は、時計１の表示時刻が、コンテンツ出力装置２が出力しているコンテンツと連動して変更するコンテンツの再生時間を示す。表示都市情報は、コンテンツ出力装置２が出力しているコンテンツに連動して時計１の表示都市を変更する都市の情報を記憶する。表示時刻情報は、コンテンツ出力装置２が出力しているコンテンツに連動して時計１の表示時刻を変更する時刻の情報を記憶する。
【００１９】
図４は、コンテンツ出力装置２の構成を示すブロック図である。コンテンツ出力装置２は、制御部２１、表示部２２、入力部２３、通信部２４、記憶部２５を備え、記憶部２５は、コンテンツ情報記憶部２５１を有する。
【００２０】
制御部２１は、ＣＰＵ（Ｃｅｎｔｒａｌ  Ｐｒｏｃｅｓｓｉｎｇ  Ｕｎｉｔ）等によって構成され、記憶部２５に記億されている各種のプログラムを実行して所定の演算や各部の制御を行うＣＰＵとプログラム実行時の作業領域となるメモリとを備えている（いずれも図示略）。
【００２１】
表示部２２は、制御部１１から出力された画像データを投影光に変換してスクリーンに向けて照射するプロジェクタである。例えば、プロジェクタとしては、アレイ状に配列された複数個（ＸＧＡの場合、横１０２４画素×縦７６８画素）の微小ミラーの各傾斜角度を個々に高速でオン/オフ動作して表示動作することでその反射光により光像を形成する表示素子であるＤＭＤ（デジタルマイクロミラーデバイス）を利用したＤＬＰ（Digital Light Processing）（登録商標）プロジェクタが適用可能である。表示部２２は第一領域と第二領域を有し、第一領域には撮影画像を出力し、第二領域には画像情報に基づいたコンテンツを出力する。
【００２２】
入力部１３は、ユーザからのコンテンツ切換え操作等を受け付ける。
【００２３】
通信部２４は、図示しないアンテナを介して、ＢＬＥに基づく無線信号の送信及び受信を行う。通信部２４は、時計１の通信部１４がＢＬＥに基づきブロードキャストしたＢｅａｃｏｎ（アドバタイズ）を受信し、そのＢｅａｃｏｎに対して時計１に接続要求を送信した後、接続を確立し時計１にコンテンツ情報記憶部２５１に記憶されたコンテンツ情報を送信する。
【００２４】
記憶部２５は、コンテンツ記憶部２５１とコンテンツ情報記憶部２５２を有する。コンテンツ記憶部２５１は、コンテンツＩＤとコンテンツを記憶し、コンテンツ情報記憶部２５２は、上述したコンテンツ情報を記憶する。
【００２５】
図５は本第一実施形態に係る時計１のコンテンツ表示処理のフローチャートを示す図である。まず時計１は、通信部１４を用いアドバタイズを送信する（ステップＳ１０１）。送信後、コンテンツ出力装置２から送信された接続要求を受信したかを判定する（ステップＳ１０２）。
【００２６】
ステップＳ１０２でコンテンツ出力装置２から送信された接続要求を受信していないと判定された場合（ステップＳ１０２：Ｎｏ）、ステップ１０１に戻りアドバタイズを送信する。ステップＳ１０２でコンテンツ出力装置２から送信された接続要求を受信したと判定された場合（ステップＳ１０２：Ｙｅｓ）、コンテンツ出力装置２と無線接続を行う（ステップ１０３）。
【００２７】
コンテンツ出力装置２と接続した後、コンテンツ出力装置２から送信されたコンテンツ情報を受信したかを判定する（ステップＳ１０４）。コンテンツ出力装置２からコンテンツ情報を受信していないと判定した場合（ステップＳ１０４：Ｎｏ）、コンテンツ情報を受信するまでステップＳ１０４を繰り返す。コンテンツ情報を受信したと判定された場合は（ステップＳ１０４：Ｙｅｓ）、ステップ１０５に進む。
【００２８】
コンテンツ情報を受信した後、コンテンツ情報をコンテンツ情報記憶部１６１に記憶し、コンテンツ情報からコンテンツ再生開始時間を設定する。その後、コンテンツ情報から表示時刻変更再生時間を読み出し、表示時刻変更再生時間になったかを判定する（ステップＳ１０５）。例えば、再生開始時間が１４時１９分２０秒で表示時刻変更再生時間が１２０秒の場合、計時部１５が１４時２１分２０秒になったかを判定する。
【００２９】
ステップＳ１０５で表示時刻変更再生時間になっていないと判定された場合（ステップＳ１０５：Ｎｏ）、ステップＳ１０７へ進む。表示時刻変更再生時間になったと判定された場合（ステップＳ１０５：Ｙｅｓ）、コンテンツ情報記憶部１６１に記憶されている表示時刻情報と表示都市情報を読み出し、表示時刻と表示都市を変更する（ステップＳ１０６）。
【００３０】
表示時刻と表示都市を変更した後、コンテンツ出力装置２からコンテンツ終了情報を受信したかに基づいてコンテンツが終了したかを判定する（ステップＳ１０７）。コンテンツが終了していないと判定された場合は（ステップＳ１０７：Ｎｏ）、ステップＳ１０５とＳ１０６を繰りかえす。
【００３１】
コンテンツが終了したと判定された場合は（ステップＳ１０７：Ｙｅｓ）、表示時刻を、計時部１５を参照し現在時刻に変更し（ステップＳ１０８）、表示都市を現在位置に基づいた都市に変更し（ステップＳ１０９）、終了する。
【００３２】
図６は本第一実施形態に係るコンテンツ出力装置２のコンテンツ表示処理のフローチャートを示す図である。まず、コンテンツ出力装置２が通信部２４を用い、時計１が送信したアドバタイズを受信したか否かを判定する（ステップＳ２０１）。アドバタイズを受信していないと判定した場合は（ステップＳ２０１：Ｎｏ）、アドバタイズを受信するまでステップＳ２０１を繰り返す。
【００３３】
アドバタイズを受信したと判定した場合（ステップＳ２０１：Ｙｅｓ）、アドバタイズを送信した時計１に対して接続要求を送信する（ステップＳ２０２）。接続要求を送信し、時計１と接続を確立した後、コンテンツ記憶部２５１に記憶されているコンテンツを再生する（ステップＳ２０３）。コンテンツを再生した後、再生しているコンテンツのコンテンツＩＤをコンテンツ記憶部２５１から読み出し、そのコンテンツＩＤに基づいてコンテンツ情報を決定する。ここで制御部２１は、コンテンツ情報の再生開始時間にコンテンツ出力装置２がコンテンツの再生を開始した時間を上書きする。
【００３４】
その後、通信部２４を用い、コンテンツ情報を時計１に送信する（ステップＳ２０４）。コンテンツ情報を時計１に送信した後、コンテンツが終了したか否かを判定する（ステップＳ２０５）。コンテンツが終了していないと判定した場合は（ステップＳ２０５：Ｎｏ）、コンテンツが終了するまでステップＳ２０５を繰り返す。
【００３５】
コンテンツが終了したと判定した場合は（ステップＳ２０５：Ｙｅｓ）、通信部２４が時計１にコンテンツ終了情報を送信し（ステップＳ２０６）、終了する。
【００３６】
第一実施形態では、コンテンツ出力装置２はコンテンツに連動して時計１の表示時間、表示都市を変更するために、コンテンツ情報としてコンテンツのスケジュールに関する情報を送信する。このようにすることで、時計１はスケジュールに関する情報に基づいて表示時刻や表示都市を変更することが可能となる。
【００３７】
（第二実施形態）
以下、本発明を実施するための第二実施形態にかかるコンテンツ出力システムを、図面を参照して説明する。なお、第一実施形態と同一の部分は説明を省略する。
【００３８】
時計１、コンテンツ出力装置２の構成のブロック図は第一実施例と同一のため説明を省略する。図７は第二実施形態に係るコンテンツ情報を示す図である。第一実施形態とは異なり、第二実施形態に係るコンテンツ情報は、コンテンツＩＤ、表示都市情報、表示時刻情報を含む。また、図示しないが、コンテンツ記憶部２５１は、コンテンツＩＤとコンテンツ、表示時刻変更再生時間を記憶する。
【００３９】
図８は本第二実施形態に係る時計１のコンテンツ表示処理のフローチャートを示す図である。まず時計１は、通信部１４を用いアドバタイズを送信する（ステップＳ３０１）。送信後、コンテンツ出力装置２から送信された接続要求を受信したかを判定する（ステップＳ３０２）。
【００４０】
ステップＳ３０２でコンテンツ出力装置２から送信された接続要求を受信していないと判定された場合（ステップＳ３０２：Ｎｏ）、ステップ１０１に戻りアドバタイズを送信する。ステップＳ３０２でコンテンツ出力装置２から送信された接続要求を受信したと判定された場合（ステップＳ３０２：Ｙｅｓ）、コンテンツ出力装置２と無線接続を行う（ステップ３０３）。
【００４１】
コンテンツ出力装置２と接続した後、コンテンツ出力装置２から送信されたコンテンツ情報を受信したかを判定する（ステップＳ３０４）。コンテンツ出力装置２からコンテンツ情報を受信していないと判定した場合（ステップＳ３０４：Ｎｏ）、ステップＳ３０６へ進み、コンテンツ情報を受信したと判定された場合は（ステップＳ３０５：Ｙｅｓ）、ステップ３０５に進む。
【００４２】
コンテンツ情報を受信した後、コンテンツ情報をコンテンツ情報記憶部１６１に記憶し、コンテンツ情報の表示都市情報と表示時刻情報に基づいて表示都市と表示時刻を変更する（ステップＳ３０５）。
【００４３】
表示時刻、表示都市を変更後、コンテンツ出力装置２からコンテンツ終了情報を受信したかを判定する（ステップＳ３０６）。コンテンツ終了情報を受信していない場合は（ステップＳ３０６：Ｎｏ）、ステップＳ３０４へ戻り、コンテンツ終了情報を受信したと判定した場合は（ステップＳ３０６：Ｙｅｓ）、表示時刻を、計時部１５を参照し、現在時刻に変更し（ステップＳ３０７）、終了する。
【００４４】
図９は本第一実施形態に係るコンテンツ出力装置２のコンテンツ表示処理のフローチャートを示す図である。まず、コンテンツ出力装置２が通信部２４を用い、時計１が送信したアドバタイズを受信したか否かを判定する（ステップＳ５０１）。アドバタイズを受信していないと判定した場合は（ステップＳ５０１：Ｎｏ）、アドバタイズを受信するまでステップＳ５０１を繰り返す。
【００４５】
アドバタイズを受信したと判定した場合（ステップＳ５０１：Ｙｅｓ）、アドバタイズを送信した時計１に対して接続要求を送信する（ステップＳ５０２）。接続要求を送信し、時計１と接続を確立した後、コンテンツ記憶部２５１に記憶されているコンテンツを再生する（ステップＳ５０３）。コンテンツを再生後、再生しているコンテンツＩＤを基にコンテンツ記憶部の表示時刻変更再生時間を読み出す。コンテンツの再生時間が表示時刻変更再生時間になったかを判定し（ステップＳ５０４）、表示時刻変更再生時間になっていないと判定された場合は（ステップＳ５０４：Ｎｏ）、ステップＳ５０３へ進む。
【００４６】
コンテンツの再生時間が表示時刻変更再生時間になったと判定された場合は（ステップＳ５０４：Ｙｅｓ）、通信部２４を用い時計１にコンテンツ情報を送信する（ステップＳ５０５）。
【００４７】
ステップＳ５０６では、コンテンツが終了したかを判定する。コンテンツが終了していないと判定された場合（ステップＳ５０６：Ｎｏ）、ステップＳ５０３へ戻り、コンテンツの再生を続ける。コンテンツが終了したと判定された場合は（ステップＳ５０６：Ｙｅｓ）、通信部２４を用い時計１にコンテンツ終了情報を送信し（ステップＳ５０７）、終了する。
【００４８】
本第二実施形態では、コンテンツの再生時間に連動して時計１の表示時刻、表示都市を変更するコンテンツ情報を送信している。またコンテンツ情報を送信するタイミングは表示時刻変更再生時間の所定時間前に予め送信しても良い。
【００４９】
なお、本発明は、上記実施形態に限らず適宜変更可能である。例えば、本実施形態では、一つの時計１とコンテンツ出力装置２とによるシステムであったが、時計１は複数でも良い。
【００５０】
また、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００５１】
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００５２】
［付記］
［請求項１］
コンテンツを再生する再生手段と、
コンテンツに基づいて通信装置に表示する表示時間情報を前記通信装置に送信する送信手段と、
を備えることを特徴とするコンテンツ出力装置。
［請求項２］
前記送信手段は、前記再生手段が再生する所定の再生時間に前記通信装置に表示させる表示時間情報を送信することを特徴とする請求項１に記載のコンテンツ出力装置。
［請求項３］
前記送信手段は、前記表示時間情報と共に前記通信装置が表示時間情報を表示する前記所定の再生時間を送信することを特徴とする請求項２に記載のコンテンツ出力装置。
［請求項４］
前記所定の再生時間になったかを判定する判定手段と、
を更に備え、
前記送信手段は、前記判定手段が前記所定の再生時間になったと判定した場合、前記表示時間情報を送信することを特徴とする請求項２に記載のコンテンツ出力装置。
［請求項５］
前記送信手段は、前記再生手段が再生しているコンテンツに基づいて更に都市情報を送信することを特徴する請求項１〜４のいずれか一項に記載のコンテンツ出力装置。
［請求項６］
前記通信装置は、デジタル時計又はアナログ時計であることを特徴とする請求項１〜５のいずれか一項に記載のコンテンツ出力装置。
［請求項７］
コンテンツ出力装置が再生しているコンテンツに基づいた表示時間情報を受信する受信手段と、
前記受信手段が受信した表示時間情報に基づいて表示時間を変更する変更手段と、
を備えることを特徴とする通信装置。
［請求項８］
前記受信手段は、前記コンテンツ出力装置が送信したコンテンツ終了したことを示すコンテンツ終了情報を受信し、
前記変更手段は、コンテンツ終了情報を受信した後、表示時間を現在時刻に変更することを特徴とする請求項６に記載の通信装置。
［請求項９］
コンピュータを
コンテンツを再生する再生手段、
コンテンツに基づいて通信装置に表示する表示時間情報を前記通信装置に送信する送信手段、
として機能させることと特徴とするプログラム。
［請求項１０］
コンテンツを再生する再生ステップと、
コンテンツに基づいて通信装置に表示する表示時間情報を前記通信装置に送信する送信ステップと、
を有することを特徴とするコンテンツ出力方法。
［請求項１１］
コンピュータを
コンテンツ出力装置が再生しているコンテンツに基づいた表示時間情報を受信する受信手段、
前記受信手段が受信した表示時間情報に基づいて表示時間を変更する変更手段、
として機能させることを特徴とするプログラム。
［請求項１２］
コンテンツ出力装置が再生しているコンテンツに基づいた表示時間情報を受信する受信ステップと、
前記受信ステップで受信した表示時間情報に基づいて表示時間を変更する変更ステップと、
を有することを特徴とする時間表示方法。
【符号の説明】
【００５３】
１  時計
２  コンテンツ出力装置
１１  制御部
１２  表示部
１３  入力部
１４  通信部
１５  計時部
１６  記憶部
１６１  コンテンツ情報記憶部
２１  制御部
２２  表示部
２３  入力部
２４  通信部
２５  記憶部
２５１  コンテンツ記憶部
２５２  コンテンツ情報記憶部
【図１】
2018005358.tif 000003
【図２】
2018005358.tif 000004
【図３】
2018005358.tif 000005
【図４】
2018005358.tif 000006
【図５】
2018005358.tif 000007
【図６】
2018005358.tif 000008
【図７】
2018005358.tif 000009
【図８】
2018005358.tif 000010
【図９】
2018005358.tif 000011